(57)【特許請求の範囲】
【請求項１】
他の電話装置と互いに通信を行う電話装置において、
発信者の生体データが予め記憶されている発信者生体データ記憶手段と、
発信者の生体的特徴を取り込み、取り込まれた生体的特徴から生体データを作成する生体データ取込み手段と、
前記生体データ取込み手段により作成された発信者の生体データと前記発信者生体データ記憶手段に記憶されている生体データとを照合して、前記発信者生体データ記憶手段のなかに前記生体データ取込み手段により作成された発信者の生体データと一致する生体データがあるか否かを確認する発信者生体データ照合手段と、
受信者に関する生体データを記憶する生体データ記憶手段と、
前記発信者生体データ照合手段により前記生体データ取込み手段で作成された発信者の生体データについての一致が確認された場合に、前記生体データ記憶手段から特定の受信者の生体データを選択する受信者選択手段と、
前記生体データ取込み手段により作成された発信者の生体データであって前記発信者生体データ照合手段により一致が確認された発信者の生体データと前記受信者選択手段により選択された特定の受信者の生体データとを他の電話装置に発信する発信手段とを備え、
前記電話装置は、
前記他の電話装置において前記特定の受信者の生体データを用いて前記特定の受信者が確認されると、前記他の電話装置と通話可能となるとともに、
前記電話装置は、さらに、
前記発信者生体データ記憶手段と前記生体データ取込み手段と前記発信者生体データ照合手段と前記生体データ記憶手段と前記受信者選択手段と前記発信手段とを備えた前記他の電話装置の前記発信手段から発信された前記発信者の生体データと前記特定の受信者の生体データとを受信する受信手段を備え、
前記電話装置の前記生体データ記憶手段は、
前記受信手段により受信された前記発信者の生体データを前記受信者に関する生体データとして記憶し、
前記電話装置の前記受信者選択手段は、
前記生体データ記憶手段により前記受信者に関する生体データとして記憶された生体データのなかから前記特定の受信者の生体データを選択することを特徴とする電話装置。
【請求項２】
前記生体的特徴は指紋であり、前記生体データは指紋データであることを特徴とする請求項１に記載の電話装置。
【請求項３】
発信者の生体データが予め記憶されている発信者生体データ記憶手段と、
発信者の生体的特徴を取り込み、取り込まれた生体的特徴から生体データを作成する生体データ取込み手段と、
前記生体データ取込み手段により作成された発信者の生体データと前記発信者生体データ記憶手段に記憶されている生体データとを照合して、前記発信者生体データ記憶手段のなかに前記生体データ取込み手段により作成された発信者の生体データと一致する生体データがあるか否かを確認する発信者生体データ照合手段と、
受信者に関する生体データを記憶する生体データ記憶手段と、
前記発信者生体データ照合手段により前記生体データ取込み手段で作成された発信者の生体データについての一致が確認された場合に、前記生体データ記憶手段から特定の受信者の生体データを選択する受信者選択手段と、
前記生体データ取込み手段により作成された発信者の生体データであって前記発信者生体データ照合手段により一致が確認された発信者の生体データと前記受信者選択手段により選択された特定の受信者の生体データとを受信側の電話装置である受信電話装置に発信する発信手段とを備え、
前記受信電話装置において前記特定の受信者の生体データを用いて前記特定の受信者が確認されると、前記受信電話装置と通話可能となる
ことを特徴とする発信電話装置。
【請求項４】
発信側の電話装置である発信電話装置の照合手段により前記発信電話装置に記憶された発信者であると確認された発信者の生体データと、前記発信電話装置の選択手段により選択された特定の受信者の生体データとを前記発信電話装置から受信する受信手段と、
前記受信手段により受信された前記発信者の生体データと前記特定の受信者の生体データとに基づいて、前記発信者の発信者名と前記特定の受信者の受信者名とを表示する表示手段と、
前記受信手段により受信された前記発信者の生体データを記憶する生体データ記憶手段と、
前記特定の受信者の生体的特徴を取り込んで、取り込んだ生体的特徴から生体データを作成する取込み手段と、
前記取込み手段により作成された生体データと前記受信手段により受信された前記特定の受信者の生体データとを照合して一致するか否かを確認する受信者生体データ照合手段とを備え、
前記受信者生体データ照合手段により前記取込み手段により作成された生体データと前記受信手段により受信された前記特定の受信者の生体データとの一致が確認された場合に、前記発信電話装置と通話可能となることを特徴とする受信電話装置。
【請求項５】
互いに通信を行う複数の電話装置を備えた電話システムにおいて、
前記複数の電話装置の各電話装置は、
発信者の生体データが予め記憶されている発信者生体データ記憶手段と、
発信者の生体的特徴を取り込み、取り込まれた生体的特徴から生体データを作成する生体データ取込み手段と、
前記生体データ取込み手段により作成された発信者の生体データと前記発信者生体データ記憶手段に記憶されている生体データとを照合して、前記発信者生体データ記憶手段のなかに前記生体データ取込み手段により作成された発信者の生体データと一致する生体データがあるか否かを確認する発信者生体データ照合手段と、
受信者に関する生体データを記憶する生体データ記憶手段と、
前記発信者生体データ照合手段により前記生体データ取込み手段で作成された発信者の生体データについての一致が確認された場合に、前記生体データ記憶手段から特定の受信者の生体データを選択する受信者選択手段と、
前記生体データ取込み手段により作成された発信者の生体データであって前記発信者生体データ照合手段により一致が確認された発信者の生体データと前記受信者選択手段により選択された特定の受信者の生体データとを他の電話装置に発信する発信手段とを備え、
前記複数の電話装置の各電話装置は、
前記他の電話装置において前記特定の受信者の生体データを用いて前記特定の受信者が確認されると、前記他の電話装置と通話可能となるとともに、
前記複数の電話装置の各電話装置は、さらに、
前記他の電話装置の発信手段から発信された前記発信者の生体データと前記特定の受信者の生体データとを受信する受信手段を備え、
前記生体データ記憶手段は、
前記受信手段により受信された前記発信者の生体データを前記受信者に関する生体データとして記憶し、
前記受信者選択手段は、
前記生体データ記憶手段により前記受信者に関する生体データとして記憶された生体データのなかから前記特定の受信者の生体データを選択することを特徴とする電話システム。
【請求項６】
互いに通信を行う複数の電話装置を備えた電話システムで使用される各電話装置の親展通話方法において、
発信者の生体データを予め発信者生体データ記憶手段に記憶する発信者生体データ記憶ステップと、
発信者の生体的特徴を取り込み、取り込まれた生体的特徴から生体データを作成する生体データ取込みステップと、
前記生体データ取込みステップにより作成された発信者の生体データと前記発信者生体データ記憶手段に記憶されている生体データとを照合して、前記発信者生体データ記憶手段のなかに前記生体データ取込みステップにより作成された発信者の生体データと一致する生体データがあるか否かを確認する発信者生体データ照合ステップと、
受信者に関する生体データを生体データ記憶手段に記憶する生体データ記憶ステップと、
前記発信者生体データ照合ステップにより前記生体データ取込みステップで作成された発信者の生体データについての一致が確認された場合に、前記生体データ記憶手段から特定の受信者の生体データを選択する受信者選択ステップと、
前記生体データ取込みステップにより作成された発信者の生体データであって前記発信者生体データ照合ステップにより一致が確認された発信者の生体データと前記受信者選択ステップにより選択された特定の受信者の生体データとを他の電話装置に発信する発信ステップと、
前記他の電話装置において前記特定の受信者の生体データを用いて前記特定の受信者が確認されると、前記他の電話装置と通話可能となる通話可能ステップと、
前記他の電話装置の発信ステップにより発信された前記発信者の生体データと前記特定の受信者の生体データとを受信する受信ステップとを備え、
前記生体データ記憶ステップは、
前記受信ステップにより受信された前記発信者の生体データを前記受信者に関する生体データとして記憶し、
前記受信者選択ステップは、
前記生体データ記憶ステップにより前記受信者に関する生体データとして記憶された生体データのなかから前記特定の受信者の生体データを選択することを特徴とする親展通話方法。
【発明の詳細な説明】
【０００１】
【発明の属する技術分野】
この発明は、特定の個人を指定して、該指定者のみが受信して通話できる親展通話を可能とした電話装置に関するものである。
【０００２】
【従来の技術】
従来の電話装置の一実施形態について図９を用いて以下に説明する。図９は、従来の電話装置を示す機能ブロック図である。図９において、この電話装置では発信電話装置３１ａと受信電話装置３１ｂとの間の通信を、電話回線３７を用いて行う。３２は相手方（受信者）の電話番号を入力するテンキー入力手段、３３はテンキー入力手段３２に入力された電話番号に基づいて発信処理をする発信手段である。また、３４は自己の電話番号を相手方の受信電話装置３１ｂへ通知する発信番号通知を行うための発信電話番号通知手段、３５はこの自己の電話番号を記憶しておく自己電話番号記憶手段、３６は受話器と送話器を備えた通話手段である。
【０００３】
また、３８は発信電話装置３１ａからの発信を着信処理する着信手段で、リンギング等の音声で外部に着信を知らせる。３９は発信電話装置３１ａからの発信番号通知に基づいて発信相手の電話番号を液晶ディスプレイ等に表示する発信相手電話番号表示手段、４０は通話釦の押圧やフックの持ち上げにより通話を開始する通話開始手段、４１は着信した発信相手電話番号の履歴を記憶する着信履歴記憶手段である。
【０００４】
次に、前述の様に構成された従来の電話装置の作用について説明する。発信者は通話先の相手（受信者）の電話番号をテンキー入力手段３２で入力し、発信手段３３は入力された電話番号に基づいて電話回線３７を介して発信する。同時に、発信電話番号通知手段３４は自己電話番号記憶手段３５から自己の電話番号を取り出し、発信手段３３から受信電話装置３１ｂに発信電話番号として通知する。受信電話装置３１ｂの着信手段３８に電話回線３７を介して発信手段３３からの着信があると、着信手段３８は着信音で着信があったことを外部に知らせる。また、発信相手電話番号表示手段３９は、受信電話装置３１ｂの液晶ディスプレイ等に発信相手電話番号を表示する。受信者は液晶ディスプレイで誰からの電話かを確認して、通話釦等の通話開始手段４０で通話を開始する。
【０００５】
そして、双方の電話装置３１ａ，３１ｂの通話手段３６にて、発信者、受信者は、お互い通話を行う。また、受信者電話装置３１ｂの着信履歴記憶手段４１は、発信相手電話番号と共に着信時の日時や通話中などの着信状態等を履歴として記憶する。
【０００６】
【発明が解決しようとする課題】
しかしながら、上述のような電話装置は、受信側の電話装置を複数人で使用している場合に、発信者は特定の相手方（受信者）を指定して呼びだす親展通話を行うことができなかった。
また、発信側の電話装置を複数人で使用している場合には、受信者も発信電話番号の通知だけでは誰が電話をかけてきたのかを断定することができなかった。
【０００７】
本発明はかかる問題を解決するためになされたもので、発信者は特定の相手方（受信者）を指定して呼びだす親展通話を行うことができ、発信側の電話装置を複数人で使用している場合でも、受信者は誰が電話をかけてきたのかを個人レベルで特定することができる電話装置を提供することを目的とする。
【０００８】
【課題を解決するための手段】
本発明は、特定の受信者に関する生体データを記憶する記憶手段と、前記生体データを受信電話装置に発信する発信手段と、を備え、前記受信電話装置で前記生体データの受信者が確認されると、前記受信電話装置と通話可能となるものである。
【０００９】
また、本発明は、発信者の生体的特徴から生体データを作成する取込み手段を備え、前記作成された生体データを受信電話装置に発信するものである。
【００１０】
また、本発明は、発信電話装置から発信される特定の受信者の生体データを受信する受信手段と、前記特定の受信者の生体データに基づいて前記受信者の受信者名が表示される表示手段と、前記特定の受信者の生体的特徴から生体データを作成する取込み手段と、前記取込み手段で作成された生体データ及び前記受信手段で受信した生体データとを照合する照合手段と、を備え、前記照合結果に基づいて、前記発信電話装置と通話可能となるものである。
【００１１】
また、本発明は、前記表示手段が、前記発信電話装置から発信された発信者に関する発信者データに基づき、前記発信者の発信者名を表示するものである。
【００１２】
また、本発明は、前記受信手段が発信電話装置から発信される発信者の生体データを受信し、該受信した発信者の生体データを記憶する記憶手段を備えたものである。
【００１３】
また、本発明は、前記生体的特徴が指紋であり、前記生体データが指紋データであるものである。
【００１４】
発信電話装置と受信電話装置との間で通信を行う電話システムにおいて、前記発信電話装置は、特定の受信者に関する生体データを記憶する記憶手段と、前記生体データを前記受信側電話装置に発信する発信手段と、を備え、前記受信電話装置は、前記発信電話装置から発信される特定の受信者の生体データを受信する受信手段と、前記特定の受信者の生体データに基づいて前記受信者の受信者名が表示される表示手段と、前記特定の受信者の生体的特徴から生体データを作成する取込み手段と、前記取込み手段で作成された生体データ及び前記受信手段で受信した生体データとを照合する照合手段と、を備えたものである。
【００１５】
特定の受信者に関する生体データを記憶するステップと、前記生体データを受信側電話装置に発信するステップと、発信電話装置から発信される特定の受信者の生体データを受信するステップと、前記特定の受信者の生体データに基づいて前記受信者の受信者名を前記受信側電話装置で表示するステップと、前記特定の受信者の生体的特徴から生体データを作成するステップと、前記取込み手段で作成された生体データ及び前記受信手段で受信した生体データとを照合するステップと、を有するものである。
【００１６】
【発明の実施の形態】
本発明による電話装置の一実施形態について図１を参照して説明する。図１は本発明の実施の形態１に係わる電話装置を示す機能ブロック図である。以下、本実施の形態では、発信電話装置１ａと受信電話装置１ｂとの間での通話を、電話回線１１を介して行うものについて説明する。図１において、２は相手方（受信者）の電話番号を入力するテンキー入力手段、３はテンキー入力手段２に入力された電話番号に基づいて発信処理を行う発信手段である。また、４は特定の相手方（受信者）を指定して呼びだす親展通話に必要な親展通話情報を、発信手段３を介して受信電話装置１ｂへ通知する親展通話情報通知手段である。この親展通話情報は、受信者氏名、受信者指紋データ、発信者氏名、発信者指紋データ等である。
【００１７】
５は指紋データを取込む指紋データ取込み手段、６は指紋データ取込み手段５で取込んだ指紋データを発信者氏名と共に記憶する発信者指紋データ記憶手段、７は発信者指紋データ記憶手段６に予め記憶された指紋データのいずれかと発信時に取込まれた指紋データとの一致を確認する指紋照合手段である。また、８は着信履歴より相手方の氏名と相手方の指紋データを記憶する着信履歴記憶手段、９は着信履歴記憶手段８に記憶された相手方（受信者）氏名を検索して通話相手（受信者）を選択する通話相手選択手段、１０は受話器と送話器を備えた通話手段である。即ち、発信電話装置１ａは、テンキー入力手段２と発信手段３と、親展通話情報通知手段４と、指紋データ取込み手段５と、発信者指紋データ記憶手段６と、指紋照合手段７と、着信履歴記憶手段８と、通話相手選択手段９と、通話手段１０と、から構成される。
【００１８】
１２は発信電話装置１ａの発信手段３からの送信を着信処理する着信手段で、リンギング等の音声で外部に着信を知らせる。１３は発信電話装置１ａの親展通話情報通知手段４から送られた親展通話情報を受信する親展通話情報受信手段、１４は着信手段１２に送信された親展通話情報の内で発信者や受信者に関する情報を液晶ディスプレイ等に表示する通話相手表示手段、１５は送信された受信者指紋データと実際に受信して指紋データ取込み手段５で取込まれた受信者の指紋データとが一致するかを確認する指紋照合手段である。ここで、親展通話情報受信手段１３で受信した親展通話情報は、着信履歴として着信履歴記憶手段１６に記憶される。
【００１９】
尚、本実施形態は、説明の便宜のため、発信電話装置１ａについては発信機能をブロックで説明し、受信電話装置１ｂについては受信機能をブロックで説明しているが、１つの電話装置は、発信電話装置１ａの発信機能と受信電話装置１ｂの受信機能とを有している。
【００２０】
次に、図１に示す本実施形態の電話装置１ａ，１ｂのＨ／Ｗ構成について図２を用いて説明する。図２は本発明の実施の形態１に係わる電話装置のＨ／Ｗ構成を示す図である。図２において、発信者の指画像を取り込む指紋センサ１７は、Ａ／Ｄコンバータ１８を介してＩ／Ｏ回路１９に接続されている。この指紋センサ１７とＡ／Ｄコンバータ１８とから図１に示す指紋データ取込み手段５が構成される。また、同様にテンキー入力手段２、通話者氏名をガイダンス表示する液晶ディスプレイ２０、電話呼び出しを行う着信ブザー２１、着信履歴の日時を参照するタイマ２２がそれぞれＩ／Ｏ回路１９に接続されている。液晶ディスプレイ２０は、図１に示す通話相手選択手段９及び通話相手表示手段１４の一部を成し、着信ブザー２１は、図１に示す着信手段１２の一部を成す。
【００２１】
また、Ｉ／Ｏ回路１９はデータ通信制御及び照合処理を行うＣＰＵ２３に接続され、このＣＰＵ２３には着信履歴、発信者指紋データ等を記憶するために電源バックアップされたメモリ２４が接続されている。ＣＰＵ２３は、図１に示す指紋照合手段７，１５と親展通話情報通知手段４と親展通話情報受信手段１３と発信手段３と着信手段１２とから構成される。また、メモリ２４は、図１に示す着信履歴記憶手段８，１６と発信者指紋データ記憶手段６とから主に構成される。
【００２２】
更に、親展通話情報を電話装置間でデータ通信するために、ＣＰＵ２３はシリアルＩ／Ｏ回路２５、モデム回路２６を介して電話回線１１に接続されている。このシリアルＩ／Ｏ回路２５とモデム回路２６とは、図１に示す発信手段３と着信手段１２の一部を構成する。また、電話回線１１には、Ｉ／Ｏ回路１９からの制御によって通話状態を切り替えるための通話スイッチ２７を挟んで、通話のための通話回路２８が接続されている。電話装置１ａ，１ｂの利用者は、この通話回路２８に接続された受話器２９及び送話器３０を用いて通話を行う。この通話スイッチ２７と通話回路２８と受話器２９と送話器３０とが、図１に示す通話手段１０を構成する。
【００２３】
ここで、テンキー入力手段２と指紋センサ１７と液晶ディスプレイ２０と着信ブザー２１と受話器２９と送話器３０とは、電話装置１ａ，１ｂの外部側に構成されている。また、Ａ／Ｄコンバータ１８とＩ／Ｏ回路１９とタイマ２２とＣＰＵ２３とメモリ２４とシリアルＩ／Ｏ回路２５とモデム回路２６と通話スイッチ２７と通話回路２８とは、電話装置１ａ，１ｂの内部側に構成されている。
【００２４】
次に、図１に示す本実施形態の発信電話装置１ａと受信電話装置１ｂとの間の通信手順（シーケンス）について図３を用いて説明する。図３は、本発明の実施の形態１に係わる電話装置間の通信手順を説明する図である。発信者は、相手方（受信者）の通話のための電話番号入力によって「発信通知」データを発信電話装置１ａから受信電話装置１ｂに送信する。受信電話装置１ｂは、「発信通知」データが着信して話中でなければ、着信可能である「着信通知」データを返信し、リンギング等の音声で外部へ着信を知らせる。発信電話装置１ａで親展指定されている場合には、「親展通話情報」データが受信電話装置１ｂに送信され、発信者の氏名及び受信者の氏名等の「親展通話情報」データが受信電話装置１ｂの液晶ディスプレイ２０に表示される。
【００２５】
そして、受信者が指紋を照合して、発信者が指定した特定の相手方本人であることを確認する。確認結果が指紋照合不一致であれば、「親展通話拒否」データを発信電話装置１ａに返信して通信を終了する。また、確認結果が指紋照合一致であれば、「親展通話開始」データを発信電話装置１ａに返信してお互いに通話を開始する。通話を終わらせる場合には、発信者及び受信者のいずれか一方から「切断指示」データを発信することで通話を終了する。尚、発信者及び受信者のいずれか一方が「切断指示」データを発信後に、相手方が「切断確認」データを発信することで通話を終了することにしても良い。
【００２６】
次に、発信電話装置１ａと受信電話装置１ｂとの間の通信手順において、発信電話装置１ａが発信する親展通話情報の内容について図４を用いて説明する。図４は、親展通話情報の内容を示す図である。図４に示すように、親展通話情報は、発信者についての情報と受信者についての情報とから構成される。すなわち、受信電話番号（Ｄ−ｔｅｌ）、受信者氏名（Ｄ−ｎａｍｅ）、受信者指紋データ（Ｄ−ｄａｔａ）が、発信者によって指定された受信者についての情報である。また、発信電話番号（Ｓ−ｔｅｌ）、発信者氏名（Ｓ−ｎａｍｅ）、発信者指紋データ（Ｓ−ｄａｔａ）が、発信者についての情報である。
【００２７】
次に、着信履歴記憶手段８，１６に記憶される着信履歴のデータ内容について図５を用いて説明する。図５は着信履歴記憶手段に記憶される着信履歴データの内容を示す図である。図５に示すように、着信履歴データは、着信日時（ｄａｔｅ）、通話者ＩＤ（ＩＤ）、着信状態（ＳＴＳ）から構成される。そして、着信がある度に、着信日時（ｄａｔｅ）、通話者ＩＤ（ＩＤ）、着信状態（ＳＴＳ）フォールドがアサインされ順次追加される。
次に、着信履歴記憶手段８に記憶される通話者一覧のデータ内容について図６を用いて説明する。図６は着信履歴記憶手段８に記憶される通話者一覧のデータの内容を示す図である。着信履歴記憶手段８は、通話相手選択手段９によって通話相手（受信者）が指定されたときに、容易に通話者に関するデータを取り出せるように、着信履歴データの他に通話者毎に一覧のデータを記憶している。各通話者毎のデータレコードは、通話者ＩＤ（ＩＤ）、通話者氏名（ｎａｍｅ）、指紋データ（ｄａｔａ）、電話番号（ｔｅｌ）のフォールドが、アサインされ、新たな発信者からの電話を着信する度に追加して記憶される。この通話者データが、親展通話の際に受信者の親展通話情報として用いられる。
【００２８】
次に前述のように構成された本実施形態に係わる発信電話装置の動作について図７のフローを用いて説明する。親展通話を希望する場合、発信者は、発信電話装置１ａのテンキー入力手段２に受信者（相手方）の電話番号を入力し（ステップ１０１）、テンキー入力手段２に設けられた親展通話スイッチ等によって親展通話を指定する（ステップ１０２のＹＥＳ）。以下、「ステップ」を「Ｓ」と略す。発信者が親展通話を指定しない場合は（Ｓ１０２のＮＯ）、通常の通話モードになり（Ｓ１０３）、通常の通話が行われる。
【００２９】
親展通話が指定された場合は（Ｓ１０２のＹＥＳ）、指紋データ取込み手段５は発信者の指画像（指紋データ）を取り込む（Ｓ１０４）。指紋照合手段７は、取込まれた指紋データと予め発信者指紋データ記憶手段６に記憶している指紋データのいずれかとが一致しているかを照合する（Ｓ１０５）。指紋照合手段７が、指紋データの照合結果が一致した場合には（Ｓ１０５のＹＥＳ）、液晶ディスプレイ２０に表示される通話者一覧データからある親展通話相手（受信者）を選択する（Ｓ１０６）。特定の受信者が選択されると、通話相手選択手段９は選択された受信者の通話者ＩＤに基づいて、着信履歴記憶手段８に記憶されている通話者一覧データの受信電話番号（Ｄ−ｔｅｌ）、受信者氏名（Ｄ−ｎａｍｅ）、受信者指紋データ（Ｄ−ｄａｔａ）を取出す（Ｓ１０７）。親展通話情報通知手段４は、選択された受信者の情報に発信者の情報を加えて親展通話情報を作成する（Ｓ１０８）。
【００３０】
そして、発信手段３は、「発信通知」データを発信し（Ｓ１０９）、相手方の受信電話装置１ｂからの「着信通知」データを所定時間待つ。発信手段３が「着信通知」データを所定時間内に受けた場合（Ｓ１１０のＹＥＳ）、親展通話情報通知手段４は親展通話情報を発信する（Ｓ１１１）。その後、発信手段３が受信電話装置１ｂから「親展通話了承」データを受信すると、通話スイッチ２７がＯＮされて通話状態に入る（Ｓ１１３）。通話状態の間に発信者からの切断指示があると、相手方（受信者）に「切断指示」データを通知して通話を終了する（Ｓ１１５）。
【００３１】
次に前述のように構成された本実施形態に係わる受信電話装置の動作について図８のフローを用いて説明する。受信電話装置１ｂは、電話回線１１に接続され、「発信通知」データを受信したか否かを監視し続けている。着信手段１２が「発信通知」データを受信すると（Ｓ２０１のＹＥＳ）、着信手段１２は着信ブザー２１を鳴動（リンギング）させて、発信電話装置１ａに「着信通知」データを発信する（Ｓ２０２）。
【００３２】
次に、親展通話情報受信手段１３は、「親展通話情報」を受信しているか否かを確認する（Ｓ２０３）。親展通話情報を受信していない場合は（Ｓ２０３のＮＯ）、通常の通話モードになり（Ｓ２０４）、通常の通話が行われる。
親展通話情報受信手段１３が、親展通話情報を受信している場合は（Ｓ２０３のＹＥＳ）、親展通話情報の受信電話番号（Ｄ−ｔｅｌ）、受信者氏名（Ｄ−ｎａｍｅ）、及び、受信者指紋データ（Ｄ−ｄａｔａ）を取込み（Ｓ２０５）、通話相手表示手段１４の液晶ディスプレイ２０に受信者氏名（Ｄ−ｎａｍｅ）を表示する（Ｓ２０６）。場合により、受信者氏名（Ｄ−ｎａｍｅ）に加えて発信者氏名（Ｓ−ｎａｍｅ）も液晶ディスプレイ２０に表示することができる。これにより、受信者は、誰からの電話かを正確に断定することができ、安心して電話に対応することができる。
【００３３】
そして、指紋照合手段１５は、実際に受信した受信者の指画像（指紋データ）を取込み（Ｓ２０７）、この指紋データと親展通話情報受信手段１３から取込んだ受信者指紋データとが一致しているかを照合する（Ｓ２０８）。発信者が指定した受信者がその場にいない場合を含め、照合結果が一致しない場合は（Ｓ２０８のＮＯ）、着信手段１２は「親展通話拒否」データを発信電話装置１ａに送信して回線を切断する（Ｓ２１０）。
【００３４】
照合結果が一致した場合は（Ｓ２０８のＹＥＳ）、着信手段１２は「親展通話了承」データを発信電話装置１ａに送信して（Ｓ２１１）、通話スイッチ２７をオンにして通話状態にする（Ｓ２１２）。通話状態の間に切断指示があると、相手方（発信者）に「切断指示」データを通知して通話を終了する（Ｓ２１４）。
【００３５】
通話が終了すると、着信履歴記憶手段１６は、親展通話情報の発信者情報を取込み（Ｓ２１５）、既に記憶されている通話者一覧データの通話者情報の内から今回着信した発信者と同一者のデータがあるか否かを確認する（Ｓ２１６）。発信者と同一者のデータが無い場合には（Ｓ２１６のＮＯ）、通話者一覧データに新通話者ＩＤの下に発信者の電話番号（ｔｅｌ）、氏名（ｎａｍｅ）、指紋データ（ｄａｔａ）を追加する（Ｓ２１７）。従って、逆に受信電話装置１ｂから発信電話装置１ａに親展通話をする場合に、親展通話情報の受信者のデータとして用いることができる。
その後、該通話者の通話者ＩＤと現在日時を取込んで、着信履歴データに日付け（Ｄａｔｅ）、通話者ＩＤ（ＩＤ）、着信状態（ＳＴＳ）を作成して記憶する（Ｓ２１９）。
【００３６】
上述のような構成、動作であれば、受信電話装置１ｂを複数人で使用している場合に、発信電話装置１ａの発信者は特定の受信者を指定して呼びだす親展着信を行うことができ、指定された受信者のみに対して通話することが可能となる。従って、誰からの電話であるかを他人に知られることなく、個人のプライバシーを保護することができる。
また、発信者の氏名とともに発信者の指紋データが受信電話装置１ｂに送信されるため、誰からの電話かを正確に断定することができ、受信者は安心して電話に対応することができる。
【００３７】
また、親展着信で受信者を特定することによって、受信者以外の者は電話にでることができないため、指定された受信者以外の者が電話を取次ぐ手間を省くことができる。
更に、電話の着信履歴に発信してきた個人を特定するデータである通話相手の個人情報及び指紋データを記録することができ、次に受信者側から親展通話をする場合に、通話相手の個人情報及び指紋データを相手先データとして用いることができる。
【００３８】
尚、本実施の形態では、通話する相手方を確認する手段として、指紋照合手段を用いたが、他の個人識別技術を用いた手段、掌形（掌の模様）、虹彩、声紋等の人間の生体的特徴を用いることによっても良い。その時は、指紋データをそれぞれの生体的特徴データである生体データに置換えることになる。
【００３９】
【発明の効果】
以上の発明から明らかなように本発明に係わる発信電話装置は、発信者は特定の受信者を指定して呼びだす親展着信を行うことができ、指定された受信者のみに対して通話することが可能となる。
【００４０】
また、本発明に係わる発信電話装置は、発信者の生体データが送信されるため、誰からの電話かを正確に断定することができ、受信者は安心して電話に対応することができる。
【００４１】
また、本発明に係わる受信電話装置は、特定の受信者が指定されて呼びだされる親展着信を行うことができ、指定された受信者のみが通話可能となる。
【００４２】
また、本発明に係わる受信電話装置は、発信者に関するデータが表示されるため、誰からの電話かを正確に断定することができ、受信者は安心して電話に対応することができる。
【００４３】
また、本発明に係わる受信電話装置は、記憶された発信者の生体データを次回受信電話装置からの発信の際に用いることができる。
【００４４】
また、本発明に係わる電話装置は、指紋という確実な個人識別技術を用いて個人を特定することができる。
【００４５】
また、本発明に係わる電話システムは、発信者は特定の受信者を指定して呼びだす親展着信を行い、指定された受信者のみに対して通話することが可能となる。
【００４６】
また、本発明に係わる電話装置の親展通知方法は、発信者は特定の受信者を指定して呼びだす親展着信を行い、指定された受信者のみに対して通話することが可能となる。
【図面の簡単な説明】
【図１】  この発明の実施形態１に係わる電話装置の構成を示す機能ブロック図である。
【図２】  この発明の実施の形態１に係わる電話装置のＨ／Ｗ構成を示す図である。
【図３】  この発明の実施形態１に係わる電話装置間の通信手順（シーケンス）を示す図である。
【図４】  この発明の実施形態１に係わる受信電話装置に発信する親展通話情報の内容を示す図である。
【図５】  この発明の実施形態１に係わる電話装置の着信履歴記憶手段に記憶される着信履歴のデータ内容を示す図である。
【図６】  この発明の実施形態１に係わる電話装置の着信履歴記憶手段に記憶される通話者一覧のデータ内容を示す図である。
【図７】  この発明の実施形態１に係わる発信電話装置の動作フローを示す図である。
【図８】  この発明の実施形態１に係わる受信電話装置の動作フローを示す図である。
【図９】  従来の電話装置の構成を示す機能ブロック図である。
【符号の説明】
１ａ，３１ａ  発信電話装置、  １ｂ，３１ｂ  受信電話装置、  ２，３２  テンキー入力手段、  ３，３３  発信手段、  ４  親展通話情報通知手段、  ５発信者指紋データ取込み手段、  ６  発信者指紋データ記憶手段、  ７  指紋照合手段、  ８，１６，４１  着信履歴記憶手段、  ９  通話相手選択手段、  １０，３６  通話手段、  １１，３７  電話回線、  １２，３８  着信手段、  １３  親展通話情報受信手段、  １４  通話相手表示手段、  １５  指紋照合手段、  １７  指紋センサ、  １８  Ａ／Ｄコンバータ、  １９  Ｉ／Ｏ回路、  ２０  液晶ディスプレイ、  ２１  着信ブザー、  ２２  タイマ、  ２３  ＣＰＵ、  ２４  メモリ、  ２５  シリアルＩ／Ｏ回路、  ２６  モデム回路、  ２７  通話スイッチ、  ２８  通話回路、  ２９  受話器、  ３０  送話器、  ３４  発信電話番号通知手段、  ３５  自己電話番号記憶手段、  ３９  発信相手電話番号表示手段、  ４０  通話開始手段。
【図１】
0004237383.tif 000002
【図２】
0004237383.tif 000003
【図３】
0004237383.tif 000004
【図４】
0004237383.tif 000005
【図５】
0004237383.tif 000006
【図６】
0004237383.tif 000007
【図７】
0004237383.tif 000008
【図８】
0004237383.tif 000009
【図９】
0004237383.tif 000010